(57)【要約】【課題】小型化が可能で、径寸法の異なるディスクを好適に処理できるディスク装置を提供する。【解決手段】ディスク装置１００では、筐体１０と、ディスク処理部２０と、駆動モータ４１と、搬送手段３０と、ディスククランプ部７０とを備えている。搬送手段３０は、駆動モータ４１の駆動により光ディスク１を保持しつつ搬送する。ディスククランプ部７０は、搬送手段３０による径寸法が異なる光ディスク１の保持状態に応じて駆動モータ４１の駆動の伝達を切り替え、ディスク処理部２０を揺動させる。１つの駆動モータ４１の駆動より、光ディスク１の搬送とディスク処理部２０の揺動とを実施できる。光ディスク１を搬送するタイミングと、ディスク処理部２０を揺動させるタイミングとを光ディスク１の径寸法に応じて好適に調整できる。【選択図】図１
2007179644.tif 000002
【特許請求の範囲】
【請求項１】
径寸法が異なるディスク状の記録媒体が挿排可能なスリット状の開口部を有した筐体と、
前記記録媒体を着脱可能にクランプするターンテーブル、および、このターンテーブルにクランプされた前記記録媒体へ情報を記録する記録処理および前記記録媒体に記録された情報を読み取る読取処理のうちの少なくともいずれか一方の情報処理を実施する情報処理部を備え、揺動可能に前記筐体内に軸支されたトラバース本体と、
前記筐体内に配設された駆動手段と、
前記筐体内に配設され、前記駆動手段の駆動により前記開口部および前記ターンテーブルにてクランプされる位置間で前記記録媒体を保持しつつ搬送する搬送手段と、
前記筐体内に配設され、前記搬送手段による前記径寸法が異なる記録媒体の保持状態に応じて前記駆動手段の駆動の伝達を切り替え、前記開口部を介して前記筐体内に搬送される前記記録媒体の搬送経路上に前記ターンテーブルが進退する状態に、前記トラバース本体を揺動させる切替手段と、
を具備したことを特徴としたディスク装置。
【請求項２】
請求項１に記載のディスク装置であって、
前記切替手段は、
前記トラバース本体に係合し前記駆動手段の駆動により所定の方向に移動され、前記トラバース本体を揺動させるシフトカムと、
前記搬送手段による前記径寸法が異なる記録媒体の保持状態に応じて移動して、前記シフトカムに対する前記駆動手段の駆動の伝達を切り替える移動子と、を備えた
ことを特徴としたディスク装置。
【請求項３】
請求項２に記載のディスク装置であって、
前記搬送手段は、前記記録媒体を前記ターンテーブルにてクランプされる位置まで搬送した際に、前記シフトカムの移動方向に前記シフトカムを押し出すカム押出部材を備え、
前記移動子は、前記搬送手段による前記径寸法が異なる記録媒体の保持状態に応じて移動し、前記カム押出部材による前記シフトカムの押出位置を切り替え、
前記シフトカムは、前記カム押出部材にて押し出されることにより前記駆動手段からの駆動力が伝達されて移動を開始する状態に設けられている
ことを特徴としたディスク装置。
【請求項４】
請求項３に記載のディスク装置であって、
前記切替手段は、前記シフトカムの移動方向に沿って所定間隔で並設され、前記カム押出部材が当接して前記シフトカムを押し出し可能とされ、前記記録媒体の径寸法の種類に対応した複数の押出壁部を備えている
ことを特徴としたディスク装置。
【請求項５】
請求項３または請求項４に記載のディスク装置であって、
前記シフトカムは、前記カム押出部材が当接して前記シフトカムを押し出し可能な第一押出壁部を有し、
前記移動子は、前記移動子の移動に伴って前記シフトカムの移動方向と交差する方向に沿って進退し、前記カム押出部材が当接して前記シフトカムを押し出し可能な第二押出壁部を有している
ことを特徴としたディスク装置。
【請求項６】
請求項５に記載のディスク装置であって、
前記移動子は、前記第二押出壁部が前記第一押出壁部に対して進退する状態に回動可能に前記シフトカムに設けられている
ことを特徴としたディスク装置。
【請求項７】
請求項５または請求項６に記載のディスク装置であって、
前記第一押出壁部は、前記シフトカムの移動方向の一端側に設けられ、
前記移動子は、前記シフトカムの移動方向の一端側に移動可能な状態で設けられ、
前記第二押出壁部は、前記移動子が移動しない状態では、前記第一押出壁部よりもさらに前記移動方向の一端側に設けられている。
ことを特徴としたディスク装置。
【請求項８】
請求項３ないし請求項７のいずれかに記載のディスク装置であって、
前記搬送手段は、
前記駆動手段の駆動により、前記開口部および前記ターンテーブルにてクランプされる位置間で前記記録媒体を保持しつつ搬送する搬入出手段と、
前記筐体内における前記搬送経路の後方側に設けられ、基端側が前記筐体に回動可能に軸支され、かつ、回動により先端部が前記搬送経路に進退可能とされ、前記記録媒体が前記開口部から挿入されると前記搬入出手段と共に前記記録媒体を保持しつつ前記搬送経路の後方側に回動し、前記搬送経路に進出する状態に回動することにより前記搬入出手段と共に前記記録媒体を保持しつつ前記記録媒体を前記開口部へ送り出すイジェクトアームと、を備え、
前記カム押出部材は、前記イジェクトアームの前記基端部に、前記シフトカムと略対向する方向に突出した状態で設けられている
ことを特徴としたディスク装置。
【請求項９】
請求項８に記載のディスク装置であって、
前記搬送手段は、前記筐体内における前記搬送経路の後方側に設けられ、前記搬入出手段および前記イジェクトアームによる前記記録媒体の搬送動作に連動して前記シフトカムの前記移動方向と交差する方向に移動するリンクプレートを具備し、
このリンクプレートは、前記記録媒体の径寸法に応じて前記移動子に係脱可能に設けられ、前記記録媒体を前記ターンテーブルにて保持される位置まで搬送した際における前記移動子の移動を制御する制御部材を有し、
前記移動子は、前記制御部材が係合可能な制御部材係合部を有している
ことを特徴としたディスク装置。
【請求項１０】
請求項９に記載のディスク装置であって、
前記移動子は、付勢手段にて前記シフトカムの移動方向と交差する方向に付勢された状態で設けられている
ことを特徴としたディスク装置。
【発明の詳細な説明】
【技術分野】
【０００１】
本発明は、径寸法の異なるディスク状の記録媒体を処理するディスク装置に関する。
【背景技術】
【０００２】
従来、径寸法の異なるディスクを処理可能なディスク装置が知られている。（例えば、特許文献１参照）。
【０００３】
この特許文献１に記載のものは、ディスクを装置内部に搬送するための第１の駆動モータと、ディスクが装着されるターンテーブルを有した組立体ホルダと、この組立体ホルダを揺動させるためのカムプレートと、このカムプレートに駆動力を与える第２の駆動モータとを備えている。そして、ディスクを装置内部に挿入すると、第１の駆動モータの回転駆動力によりディスクを装置内部に搬送し、ディスクの径寸法に応じた所定のタイミングで、ディスクの搬送を停止する。次いで、第２の駆動モータを回転駆動力によりカムプレートを移動させて、組立体ホルダを揺動させる。これにより、組立体ホルダのターンテーブルにディスクが装着されるという構成が採用されている。
【０００４】
【特許文献１】特開２００２−３０４７９８号公報（第４頁ないし第２４頁、および、図１ないし図５、図１２ないし図１７、図１９ないし図２２、図４２、図４３参照）
【発明の開示】
【発明が解決しようとする課題】
【０００５】
ところで、近年、ノート型のパーソナルコンピュータなどに搭載可能で、かつ径寸法の異なるディスクを搬送可能な薄型のディスク装置の構成が望まれている。このような薄型のディスク装置は、全体の寸法、およびディスク装置をパーソナルコンピュータなどに取り付ける取付け部の位置などが予め規定されている。このため、これらの規定に合わせてディスク装置を構成する必要がある。
【０００６】
また、上記特許文献１のように、径寸法の異なるディスクを搬送可能なディスク装置においては、ディスクの径寸法に応じて、ディスクを搬送するタイミングと、組立体ホルダを揺動させるタイミングとを調整する必要がある。万一、当該タイミングが合わない場合、ターンテーブルにディスクを装着させることができないおそれがある。このため、当該タイミングをディスクの径寸法に応じて好適に調整できる技術が望まれている。
【０００７】
本発明は、小型化が可能で、径寸法の異なるディスクを好適に処理できるディスク装置を提供することを１つの目的とする。
【課題を解決するための手段】
【０００８】
請求項１に記載の発明は、径寸法が異なるディスク状の記録媒体が挿排可能なスリット状の開口部を有した筐体と、前記記録媒体を着脱可能にクランプするターンテーブル、および、このターンテーブルにクランプされた前記記録媒体へ情報を記録する記録処理および前記記録媒体に記録された情報を読み取る読取処理のうちの少なくともいずれか一方の情報処理を実施する情報処理部を備え、揺動可能に前記筐体内に軸支されたトラバース本体と、前記筐体内に配設された駆動手段と、前記筐体内に配設され、前記駆動手段の駆動により前記開口部および前記ターンテーブルにてクランプされる位置間で前記記録媒体を保持しつつ搬送する搬送手段と、前記筐体内に配設され、前記搬送手段による前記径寸法が異なる記録媒体の保持状態に応じて前記駆動手段の駆動の伝達を切り替え、前記開口部を介して前記筐体内に搬送される前記記録媒体の搬送経路上に前記ターンテーブルが進退する状態に、前記トラバース本体を揺動させる切替手段と、を具備したことを特徴としたディスク装置である。
【発明を実施するための最良の形態】
【０００９】
以下、本発明に係る一実施の形態のディスク装置を図面に基づいて説明する。図１は、本発明に係る記録媒体駆動装置としてのディスク装置の初期状態における内部構成を示す平面図である。図２は、ディスク装置の搬入部の構成を示す平面図である。図３は、ディスク装置の搬出部およびクランプ部の構成を示す平面図である。図４は、ディスク装置のクランプ部を構成する第一シフトカムを右壁側からみた側面図である。
【００１０】
〔ディスク装置の構成〕
図１において、１００は、本発明の一実施の形態に係る記録媒体駆動装置としてのディスク装置であり、このディスク装置１００は、ディスク状の記録媒体としての光ディスク１の少なくとも一面に設けられた図示しない記録面に記録された情報を読み出す読取処理や記録面へ各種情報を記録する記録処理を実施する。このディスク装置１００は、例えばノート型パーソナルコンピュータなど、比較的厚み寸法に制限がある電気機器に装着されるいわゆる薄型スロットインタイプディスク装置である。なお、本実施の形態では、ノート型パーソナルコンピュータに装着される薄型のディスク装置１００を例示するが、これに限らず、例えばゲーム機や、映像データの録画再生処理を実施する、いわゆるビデオ装置などに装着されてもよい。また、読取処理および記録処理のうちいずれか一方のみを実施する構成としても対象とすることができる。
【００１１】
また、このディスク装置１００は、光ディスク１として、直径１２ｃｍの大径ディスク１Ａと、直径８ｃｍの小径ディスク１Ｂとを収納することができる。なお、ディスク状の記録媒体としては、光ディスク１に限らず、磁気ディスク、光磁気ディスクなどのいずれのディスク状記録媒体を対象とすることができる。
【００１２】
そして、ディスク装置１００は、例えば金属製で内部空間を有する略箱形状の筐体１０を備えて構成されている。なお、この筐体１０において、図１中下側の面を正面１０Ａ、図１中、筐体１０の左側壁を左壁１０Ｂ、図１中筐体１０の右側壁を右壁１０Ｃ、図１中上側の面を背面１０Ｄと適宜称する。
【００１３】
筐体１０は、筐体本体部１１と、図中筐体本体部１１の右側に設けられるウィング部１２とを備えて構成されている。これらの筐体本体部１１およびウィング部１２は、天面が同一平面上に形成され、底面が異なる高さ寸法に形成されている。すなわち、ウィング部１２の底面は、筐体本体部１１の底面よりも天面からの距離寸法が小さく形成されている。そして、筐体本体部１１の右壁１０Ｃ側には、筐体本体部１１の底面から立ち上がり、筐体本体部１１の底面およびウィング部１２の底面を連結する段差壁部１３が形成されている。
【００１４】
また、筐体１０の正面１０Ａには、光ディスク１を挿入排出するための挿排口１４（開口部）が、筐体本体部１１からウィング部１２に亘って、図１中左右方向に延びて形成されている。さらに、筐体１０の背面１０Ｄの左壁１０Ｂ側には、コネクタ部１５が形成されている。このコネクタ部１５は、例えばディスク装置１００の外部のパーソナルコンピュータなどの外部機器と接続可能であり、外部機器から各種情報を送受信したり、電力が供給されるプラグが接続されたりする。
【００１５】
そして、筐体１０の内部には、本発明におけるトラバース本体に相当するディスク処理部２０と、光ディスク１を搬送する搬送手段３０と、制御回路部８０とが設けられている。
【００１６】
ディスク処理部２０は、筐体１０の挿排口１４近傍、すなわち、正面１０Ａの左壁１０Ｂ側から筐体１０の略中心位置に向かって長手に形成されている。このディスク処理部２０は、例えば金属板にて略板状に形成され、ディスク処理部２０の長手方向と略同一方向に長手となる台座部２１を有している。
【００１７】
この台座部２１は、挿排口１４の左壁１０Ｂ側近傍に弾性を有するフロートゴム２１Ａを介して筐体１０に揺動自在に取り付けられている。すなわち、台座部２１は、この挿排口１４の左壁１０Ｂ側の取付位置を中心として揺動自在に設けられている。また、台座部２１には、長手方向に沿って、長手状の処理開口部２１Ｂが略中央に切欠形成されている。そして、台座部２１の処理開口部２１Ｂの一端側、すなわち筐体１０の略中心位置に、ディスク回転駆動手段２２が配設されている。このディスク回転駆動手段２２は、図示しないスピンドルモータ（情報処理部）と、このスピンドルモータの出力軸に一体的に設けられたターンテーブル２３とを備えている。スピンドルモータは、制御回路部８０に電気的に接続され、制御回路部８０から供給される電力により駆動する。ターンテーブル２３は、筐体１０の内部の略中心部に設けられるとともに光ディスク１を配置した状態で回転駆動する。
【００１８】
また、ターンテーブル２３の中心には、光ディスク１の中心に設けられる円形孔であるセンターホールを係脱可能なディスク係合部２３Ａが天面側に突出して形成されている。さらに、このディスク係合部２３Ａの周縁には、光ディスク１がディスク係合部２３Ａに係合された状態で天面側に突出し、光ディスク１の抜け落ちを防止する図示しない爪部材が設けられている。
【００１９】
また、台座部２１には、情報処理部２４が配設されている。この情報処理部２４は、一対のガイドシャフト２５間に架橋する状態に支持されており、図示しない移動機構により処理開口部２１Ｂ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップ機構を備えている。また、情報処理部２４は、ターンテーブル２３に光ディスク１を保持している演奏可能状態以外では、台座部２１の正面１０Ａ側に位置しており、光ディスク１がターンテーブル２３にて保持された後にターンテーブル２３に対して接離移動される。
【００２０】
搬送手段３０は、挿排口１４から挿入された光ディスク１を筐体１０の内部に搬入したり、搬入された光ディスク１をディスク処理部２０のターンテーブル２３に載置したり、筐体１０の内部の光ディスク１を外部に搬出したりする。そして、この搬送手段３０は、駆動部４０と、搬入部５０（搬入出手段）と、搬出部６０と、ディスククランプ部７０と、などを備えている。
【００２１】
駆動部４０は、搬送手段３０の各部を駆動させる駆動力を供給する。この駆動部４０は、駆動手段としての駆動モータ４１と、駆動伝達部としての駆動伝達ギア群４２と、を備えている。
【００２２】
駆動モータ４１は、筐体１０の正面１０Ａの挿排口１４近傍で、ディスク処理部２０の配設によるデットスペースとなるディスク処理部２０と段差壁部１３との間に配置されている。
この駆動モータ４１は、制御回路部８０に電気的に接続され、制御回路部８０からの制御信号に基づき、回転軸を回転駆動させる。また、回転軸の先端には、ウォームギア４１１が設けられており、このウォームギア４１１は、駆動伝達ギア群４２に回転駆動力を伝達する。
【００２３】
駆動伝達ギア群４２は、第一伝達ギア４２１と、シフト駆動分岐ギア４２２と、ローラ駆動分岐ギア４２３と、第二伝達ギア４２４と、カムシフトギア４２５と、を備えている。
【００２４】
第一伝達ギア４２１は、径寸法が大きい第一大径伝達ギア４２１Ａと、第一大径伝達ギア４２１Ａと同軸上で天面側に一体に設けられ、径寸法が小さい第一天面側小径伝達ギア４２１Ｂと、底面側に一体に設けられ、径寸法が小さい第一底面側小径伝達ギア４２１Ｃとを備えている。第一大径伝達ギア４２１Ａは、ウォームギア４１１に噛合され、駆動モータ４１の回転駆動力を、筐体１０の底面に対して直交する軸方向に変換する。また、第一大径伝達ギア４２１Ａの底面側に設けられる第一底面側小径伝達ギア４２１Ｃは、シフト駆動分岐ギア４２２に噛合され、第一大径伝達ギア４２１Ａの天面側に設けられる第一天面側小径伝達ギア４２１Ｂは、ローラ駆動分岐ギア４２３に噛合されている。これにより、第一伝達ギア４２１は、駆動モータ４１からの回転駆動力をシフト駆動分岐ギア４２２およびローラ駆動分岐ギア４２３に伝達する。
【００２５】
シフト駆動分岐ギア４２２は、径寸法が大きい大径シフト駆動分岐ギア４２２Ａと、大径シフト駆動分岐ギア４２２Ａと同軸上で底面側に一体的に設けられる駆動分岐ピニオン４２２Ｂとを備えている。そして、大径シフト駆動分岐ギア４２２Ａは、第一伝達ギア４２１の第一底面側小径伝達ギア４２１Ｂに噛合され、駆動分岐ピニオン４２２Ｂは、カムシフトギア４２５に噛合されている。これにより、シフト駆動分岐ギア４２２は、第一伝達ギア４２１から伝達された回転駆動力をカムシフトギア４２５に伝達する。また、シフト駆動分岐ギア４２２は、筐体本体部１１の底面に回転可能に設けられ、筐体本体部１１の底面から大径シフト駆動分岐ギア４２２Ａの天面までの厚み寸法が段差壁部１３の高さ寸法よりも小さく形成されている。これにより、シフト駆動分岐ギア４２２の天面側には、ウィング部１２の底面の高さ位置まで空間が形成され、この空間が後述の第一シフトカム７１の移動経路となる。
【００２６】
ローラ駆動分岐ギア４２３は、径寸法が大きい大径ローラ駆動分岐ギア４２３Ａと、大径ローラ駆動分岐ギア４２３Ａと同軸上で天面側に一体的に設けられる小径ローラ駆動分岐ギア４２３Ｂとを備えている。そして、大径ローラ駆動分岐ギア４２３Ａは、第一伝達ギア４２１の第一天面側小径伝達ギア４２１Ｃに噛合され、小径ローラ駆動分岐ギア４２３Ｂは、第二伝達ギア４２４に噛合されている。これにより、ローラ駆動分岐ギア４２３は、第一伝達ギア４２１から伝達された回転駆動力を第二伝達ギア４２４に伝達する。また、このローラ駆動分岐ギア４２３は、筐体本体部１１の底面に、ウィング部１２の底面と略同一高さ位置に設けられている。これによりローラ駆動分岐ギア４２３の底面と、筐体本体部１１の底面との間には、空間が形成され、この空間が第一シフトカム７１の移動経路となっている。
【００２７】
第二伝達ギア４２４は、ウィング部１２の底面から左壁１０Ｂ側に突出する軸支片に設けられている。この第二伝達ギア４２４は、小径ローラ駆動分岐ギア４２３Ｂ、および搬入部５０の後述するローディングアーム５１に噛合されている。これにより、ローラ駆動分岐ギア４２３から伝達された回転駆動力をローディングアーム５１に伝達する。
【００２８】
カムシフトギア４２５は、径寸法が大きい大径シフトギア４２５Ａと、この大径シフトギア４２５Ａと同軸上で天面側に一体に設けられ、径寸法が小さいピニオンギア４２５Ｂと、を備えている。ここで、大径シフトギア４２５Ａは、第一シフトカム７１の底面側、すなわち筐体本体部１１と第一シフトカム７１との間に設けられ、ピニオンギア４２５Ｂは、第一シフトカム７１の端面に形成される後述するラック７１１の進退移動経路に設けられている。この大径シフトギア４２５Ａは、シフト駆動分岐ギア４２２の駆動分岐ピニオン４２２Ｂに噛合されている。一方、ピニオンギア４２５Ｂは、ディスククランプ部７０の後述する第一シフトカム７１に噛合可能に設けられている。
【００２９】
搬入部５０は、図２に示すように、駆動部４０から供給される駆動力により駆動され、挿排口１４から挿入された光ディスク１を筐体１０の内部に搬入する。この搬入部５０は、ローディングアーム５１と、ローディングリンク機構５２と、ガイドアームとしてのディスクガイドアーム５３と、ディスクガイドリンク機構５４と、リンクプレート５５と、を備えている。
【００３０】
ローディングアーム５１は、長手状に形成され、一端部がウィング部１２の挿排口１４近傍に回動可能に取り付けられ、他端部が筐体１０の中心位置に対して進退可能となるように設けられている。このローディングアーム５１は、先端部に光ディスク１を保持可能なローラ５１３を備えており、このローラ５１３の回転駆動により光ディスク１を搬送経路に沿って搬送する。
そして、ローディングアーム５１は、搬送される光ディスク１の径寸法に応じて、光ディスク１を案内可能な位置まで右壁１０Ｃ側に回動される。すなわち、例えば大径ディスク１Ａを搬送する場合、ローディングアーム５１は、右壁１０Ｃの近傍まで回動される。一方、小径ディスク１Ｂを搬送する場合には、ローディングアーム５１は、小径ディスク１Ｂを搬送可能な位置、すなわち、ターンテーブル２３の回転中心から前後に伸ばした中心線とローラ５１３までの距離が略４ｃｍとなる位置まで回動される。また、ディスク処理部２０が天面側に移動して、光ディスク１をターンテーブル２３にクランプした演奏可能状態では、ローディングアーム５１は右壁１０Ｃ側に回動され、ローラ５１３が光ディスク１の周縁から離反する。そして、このローディングアーム５１は、長手状のローディングアーム本体５１１と、このローディングアーム本体５１１に設けられるローラ駆動部５１２と、上記したローラ５１３と、を備えている。
【００３１】
ローディングアーム本体５１１は、ローディングアーム５１の長手方向に沿って長手に形成される板状部材である。このローディングアーム本体５１１の基端部には、軸支部５１１Ａが設けられている。そして、ローディングアーム本体５１１は、ウィング部１２の底面から天面側に突設される軸により軸支部５１１Ａの底面側が回転可能に軸支されることで、先端部が筐体１０の内方側に向かって進退可能となる。また、ローディングアーム本体５１１の基端側端面は、軸支部５１１Ａを中心とした所定径寸法の円弧状に形成されており、この円弧に沿って第一歯車５１１Ｂが形成されている。さらに、ローディングアーム本体５１１の先端部には、ローラ５１３を取り付ける図示しないローラ取付孔が形成されている。
【００３２】
ローラ駆動部５１２は、ローディングアーム本体５１１の底面部側に設けられている。このローラ駆動部５１２は、ローディングアーム本体５１１の軸支部５１１Ａを軸支する軸を回転中心とした第一ローラ駆動ギア５１２Ａと、第一ローラ駆動ギア５１２Ａに噛合される第二ローラ駆動ギア５１２Ｂと、第二ローラ駆動ギア５１２Ｂに噛合される第三ローラ駆動ギア５１２Ｃと、を備えている。そして、第一ローラ駆動ギア５１２Ａは、駆動部４０の第二伝達ギア４２４に噛合され、駆動部４０から駆動力が伝達される。また、第三ローラ駆動ギア５１２Ｃは、ローラ５１３に噛合され、駆動部４０から第一および第二ローラ駆動ギア５１２Ａ，５１２Ｂを介して伝達される駆動力をローラ５１３に伝達する。
【００３３】
また、これらの第一ないし第三ローラ駆動ギア５１２Ａ，５１２Ｂ，５１２Ｃは、ローディングアーム本体５１１とウィング部１２との隙間寸法と略同一、若しくは若干小さい厚み寸法に形成されており、ローディングアーム５１の回動時に、第一ないし第三ローラ駆動ギア５１２Ａ，５１２Ｂ，５１２Ｃがウィング部１２に干渉しないように設定されている。
【００３４】
ローラ５１３は、ローディングアーム本体５１１の先端部のローラ取付孔に回転可能に取り付けられている。このローラ５１３は、ローディングアーム本体５１１の底面側に設けられるローラ歯車５１３Ａと、ローディングアーム本体５１１の天面側に設けられるローラ本体５１３Ｂとを備えている。これらのローラ歯車５１３Ａおよびローラ本体５１３Ｂは、ローディングアーム本体５１１のローラ取付孔を貫通する軸により一体的に形成されている。
【００３５】
ローラ歯車５１３Ａは、第三ローラ駆動ギア５１２Ｃに噛合され、第三ローラ駆動ギア５１２Ｃの回転駆動により回転される。
ローラ本体５１３Ｂは、ローディングアーム本体５１１の面に対して略直交する方向を軸とした略円筒状に形成されている。このローラ本体５１３Ｂは、軸方向の中心部の径寸法が天面側および底面側の径寸法よりも径小となる凹状部を有している。また、ローラ本体５１３Ｂの周面は、例えば合成樹脂などの弾性部材により形成されている。そして、ローラ本体５１３Ｂは、凹状部にて光ディスク１の周縁部を保持した状態で、回転駆動されることで光ディスク１を搬送経路に沿って進退させる。
【００３６】
また、大径ディスク１Ａの搬送時において、大径ディスク１Ａの最大径部がローラ５１３を通過するとき、ローディングアーム５１は最も右壁１０Ｃ側に移動される。この時、ローラ５１３は、筐体１０の右壁１０Ｃに設けられた逃げ孔部１０Ｃ１に挿通される。
【００３７】
ローディングリンク機構５２は、ローディングリンクアーム５２１と、ローディングスライドプレート５２２と、ローディングリンクレバー５２３とを備えている。
【００３８】
ローディングリンクアーム５２１は、ウィング部１２の底面に回動可能に設けられている。このローディングリンクアーム５２１は、略扇状に形成され、扇の円弧に沿って、ローディングアーム本体５１１の第一歯車５１１Ｂに係合される第二歯車５２１Ａが形成されている。また、ローディングリンクアーム５２１の第二歯車５２１Ａの内方側、すなわち左壁１０Ｂ側には、ウィング部１２の底面に向かって突出するローディングリンクピン５２１Ｂが設けられている。
【００３９】
ローディングスライドプレート５２２は、段差壁部１３に対向して前後方向（筐体１０の正面１０Ａから背面１０Ｄに向かう方向）に長手に形成されている。また、ローディングスライドプレート５２２の正面１０Ａ側には、天面側端縁から右壁１０Ｃ側に突出し、ウィング部１２側の底面に対向する第一ローディングリンク係合部５２２Ａが形成されている。
この第一ローディングリンク係合部５２２Ａには、左右方向に長手となるローディング係合溝５２２Ｂが形成されており、このローディング係合溝５２２Ｂにローディングリンクアーム５２１のローディングリンクピン５２１Ｂが係合されている。そして、ローディングスライドプレート５２２は、ローディングアーム５１の回動によりローディングリンクアーム５２１が回動すると、ローディングリンクピン５２１Ｂが前後方向に進退するため、このローディングリンクピン５２１Ｂの移動に応じて、前後方向にスライド移動する。
【００４０】
また、ローディングスライドプレート５２２の背面１０Ｄ側には、筐体の内方側に突出する第二ローディングリンク係合部５２２Ｃが形成されている。この第二ローディングリンク係合部５２２Ｃには、左壁１０Ｂ側から右壁１０Ｃの正面１０Ａ側に向かう第二ローディング係合溝５２２Ｄが形成されている。
【００４１】
さらに、ローディングスライドプレート５２２の前後方向の略中心位置には、前後方向に伸びるローディング案内溝５２２Ｅが形成されており、ローディングスライドプレート５２２のスライド移動方向を案内している。
【００４２】
ローディングリンクレバー５２３は、図２に示すように、回動軸５２３Ａを中心に、互いに所定角度を成して延出する第一レバー５２３Ｂ、および第二レバー５２３Ｃを備えている。
ここで、回動軸５２３Ａは、トッププレート１７の底面に回動自在に固定されている。そして、第一レバー５２３Ｂには、先端側から天面側に向かって第一レバーピン５２３Ｄが突出形成されている。この第一レバーピン５２３Ｄは、ローディングスライドプレート５２２の第二ローディングリンク係合部５２２Ｃの第二ローディング係合溝５２２Ｄに係合されている。これにより、ローディングスライドプレート５２２が正面１０Ａ側にスライド移動すると、第一レバーピン５２３Ｄも正面１０Ａ側に移動し、ローディングリンクレバー５２３が反時計周り方向に回動する。一方、ローディングスライドプレート５２２が背面１０Ｄ側にスライド移動すると、第一レバーピン５２３Ｄも背面１０Ｄ側に移動し、ローディングリンクレバー５２３が時計周り方向に回動する。
【００４３】
また、第二レバー５２３Ｃには、先端側から底面側に向かって第二レバーピン５２３Ｅが突出形成されている。この第二レバーピン５２３Ｅは、後述のリンクプレート５５に係合されている。また、第二レバー５２３Ｃの先端部には、ばね取付け部５２３Ｆが設けられており、リンクプレート５５との間に図示しないばねが取り付けられる。これにより、ローディングリンクレバー５２３は、常に反時計周り方向に付勢力が付与される。すなわち、ローディングスライドプレート５２２は、常に背面１０Ｄ側に付勢され、ローディングアーム５１は、先端部が筐体１０の中心側に移動するように付勢されている。
また、第二レバー５２３Ｃには、先端側から底面側に向かって第二レバーピン５２３Ｅが突出形成されている。この第二レバーピン５２３Ｅは、後述のリンクプレート５５に係合されている。また、第二レバー５２３Ｃの先端部には、ばね取付け部５２３Ｆが設けられており、リンクプレート５５との間に図示しないばねが取り付けられる。これにより、ローディングリンクレバー５２３は、常に時計周り方向に付勢力が付与される。また、リンクプレート５５には、ばね取付部５５Ａが設けられており、トッププレート１７との間に図示しないばねが取り付けられている。これにより、リンクプレート５５は常に右壁１０Ｃ側に付勢されている。すなわち、ローディングスライドプレート５２２は、常に背面１０Ｄ側に付勢され、ローディングアーム５１は、先端部が筐体１０の中心側に移動するように付勢されている。
【００４４】
ディスクガイドアーム５３は、長手状に形成され、基端部が左壁１０Ｂの正面１０Ａ側で、挿排口１４近傍に回動可能に取り付けられている。これにより、ディスクガイドアーム５３の先端部は、筐体１０の中心位置に向かって進退自在となる。また、ディスクガイドアーム５３は、基端部から先端部までの間が内方側に突出した湾曲形状に形成されている。すなわち、左壁１０Ｂの正面１０Ａ側には、ディスク装置１００を例えばパーソナルコンピュータに取り付けるための取付け部１６が形成されており、ディスクガイドアーム５３は、湾曲部５３１にてこの取付け部を避ける形状に形成されている。これにより、ディスクガイドアーム５３を左壁１０Ｂに最も近接する位置に回動させた状態において、ディスクガイドアーム５３の先端部がディスク処理部２０の天面側に突出せず、演奏可能状態において情報処理部２４との干渉を避けることが可能となる。
【００４５】
また、ディスクガイドアーム５３の先端部には、底面側に突出するディスクガイド部５３２が設けられている。このディスクガイド部５３２は、底面から天面に向かう上下方向を軸とした半円筒形状に形成され、内方側が円弧状に形成されている。そして、このディスクガイド部５３２は、光ディスク１の搬送時、搬送される光ディスク１の周縁部に当接して、ローディングアーム５１のローラ５１３とともに光ディスク１を保持する。また、大径ディスク１Ａの最大径部が通過する時、ディスクガイドアーム５３は、最も左壁１０Ｂ側に近接する位置に回動するが、ディスクガイド部５３２が上記のように半円筒形状に形成されているため、ディスクガイド部５３２および左壁１０Ｂが干渉しない。したがって、ディスク装置１００の左右幅を大型化させることなく光ディスク１の搬送を案内することが可能となり、小型化に対応させることが可能となる。
【００４６】
さらに、ディスクガイドアーム５３の基端部の左壁１０Ｂ側には、底面側に突出するディスクガイドピン５３３が形成されている。このディスクガイドピン５３３は、ディスクガイドアーム５３が左壁１０Ｂ側に回動すると正面１０Ａ側に移動し、ディスクガイドアーム５３が右壁１０Ｃ側に回動すると背面１０Ｄ側に移動する。
【００４７】
このようなディスクガイドアーム５３は、ローディングアーム５１と同様に、搬送される光ディスク１の径寸法に応じて光ディスク１を案内可能な位置まで左壁１０Ｂ側に回動される。例えば、大径ディスク１Ａを搬送する場合、ディスクガイドアーム５３は、左壁１０Ｂの近傍まで回動される。一方、小径ディスク１Ｂを搬送する場合、ディスクガイドアーム５３は、ターンテーブル２３の回転中心から前後に伸ばした中心線とディスクガイド部５３２までの距離が約４ｃｍとなる位置まで左壁１０Ｂ側に回動される。また、演奏可能状態では、ディスクガイドアーム５３は、左壁１０Ｂ側近傍まで回動され、ディスクガイド部５３２が光ディスク１の周縁から離反する。
【００４８】
ディスクガイドリンク機構５４は、ディスクガイドスライドプレート５４１と、ディスクガイドリンクレバー５４２と、を備えている。
【００４９】
ディスクガイドスライドプレート５４１は、左壁１０Ｂに対向して前後方向に長手に形成されている。また、ディスクガイドスライドプレート５４１の正面１０Ａ側には、底面側端縁からディスクガイドアーム５３の回動軸に向かって延出する第一ディスクガイドリンク係合部５４１Ａが形成されている。この第一ディスクガイドリンク係合部５４１Ａには、左右方向に長手となる第一ディスクガイドリンク溝５４１Ｂが形成されており、ディスクガイドピン５３３が係合されている。そして、ディスクガイドスライドプレート５４１は、ディスクガイドアーム５３の回動によりディスクガイドピン５３３が前後方向に移動することで、前後方向にスライド移動する。
【００５０】
また、ディスクガイドスライドプレート５４１の背面１０Ｄ側には、筐体１０の内方側に突出する第二ディスクガイドリンク係合部５４１Ｃが形成されている。この第二ディスクガイドリンク係合部５４１Ｃには、左壁１０Ｂ側から右壁１０Ｃの正面１０Ａ側に向かって傾斜する第二ディスクガイド係合溝５４１Ｄが形成されている。
【００５１】
さらに、ディスクガイドスライドプレート５４１の前後方向の略中心位置には、前後方向に伸びるローディング案内溝５４１Ｅが形成されており、ディスクガイドスライドプレート５４１のスライド移動方向を案内している。
【００５２】
ディスクガイドリンクレバー５４２は、トッププレート１７の底面に設けられた回動軸５４２Ａを中心に回動可能に設けられている。また、ディスクガイドリンクレバー５４２は、回動軸５４２Ａを中心として、互いに所定角度を成して延出する第一ガイドレバー５４２Ｂ、および第二ガイドレバー５４２Ｃを備えている。そして、第一ガイドレバー５４２Ｂには、先端側から天面側に向かって第一ガイドレバーピン５４２Ｄが突出形成されている。この第一ガイドレバーピン５４２Ｄは、第二ディスクガイドリンク係合部５４１Ｃの第二ディスクガイド係合溝５４１Ｄに係合されている。これにより、ディスクガイドスライドプレート５４１が正面１０Ａ側にスライド移動すると、第一ガイドレバーピン５４２Ｄも正面１０Ａ側に移動し、ディスクガイドリンクレバー５４２が反時計周り方向に回動する。一方、ディスクガイドスライドプレート５４１が背面１０Ｄ側にスライド移動すると、第一ガイドレバーピン５４２Ｄも背面１０Ｄ側に移動し、ディスクガイドリンクレバー５４２が時計周り方向に回動する。
【００５３】
また、第二ガイドレバー５４２Ｃには、先端側から底面側に向かって第二ガイドレバーピン５４２Ｅが突出形成されている。この第二ガイドレバーピン５４２Ｅは、後述のリンクプレート５５に係合されている。また、第二ガイドレバー５４２Ｃの先端部には、ばね取付け部５４２Ｆが設けられており、リンクプレート５５との間に図示しないばねが取り付けられる。これにより、ディスクガイドリンクレバー５４２は、常に反時計周り方向に付勢力が付与される。したがって、ディスクガイドスライドプレート５４１は、常に背面１０Ｄ側に付勢され、ディスクガイドアーム５３は、先端部が筐体１０の中心側に移動するように付勢されている。
【００５４】
リンクプレート５５は、筐体１０の背面１０Ｄ側に設けられ、左右方向に亘って長手状に形成される板状部材である。また、リンクプレート５５は、ローディングアーム５１およびディスクガイドアーム５３の動作に応じて、左右方向に移動可能に設けられており、光ディスク１が挿入されていない初期状態では、最も右壁１０Ｃ側に移動した状態で配置される。そして、このリンクプレート５５は、リンク案内溝５５１と、レバー係合窓５５２と、イジェクト規制窓５５３と、セレクトピン５５４（制御部材）と、カム制御ピン５５５と、を備えている。
【００５５】
リンク案内溝５５１は、リンクプレート５５の左右両端側に、それぞれ背面１０Ｄからの距離が略同一となる位置に、左右方向に延びて形成されている。これらのリンク案内溝５５１には、それぞれ前述したローディングリンクレバー５２３およびディスクガイドリンクレバー５４２の回動軸５２３Ａ、５４２Ａが挿通される。これにより、リンクプレート５５の移動方向が左右方向に設定される。
【００５６】
レバー係合窓５５２は、リンクプレート５５の左右に形成されたリンク案内溝５５１の背面１０Ｄ側にそれぞれ形成されている。レバー係合窓５５２は、それぞれローディングリンクレバー５２３およびディスクガイドリンクレバー５４２の第二レバーピン５２３Ｅおよび第二ガイドレバーピン５４２Ｅが係合されるレバーピン係合部５５２Ａを備えている。
これらのレバーピン係合部５５２Ａは、前後方向に伸びる溝であり、この溝に第二レバーピン５２３Ｅおよび第二ガイドレバーピン５４２Ｅが係合されている。そして、第二レバーピン５２３Ｅおよび第二ガイドレバーピン５４２Ｅが移動して、レバーピン係合部５５２Ａの左右の壁が押されると、リンクプレート５５が左右方向にスライド移動される。
【００５７】
また、レバーピン係合部５５２Ａは、溝の左右方向の距離寸法が第二レバーピン５２３Ｅおよび第二ガイドレバーピン５４２Ｅの直径よりも若干大きく形成されている。これにより、第二レバーピン５２３Ｅおよび第二ガイドレバーピン５４２Ｅおよびレバーピン係合部５５２Ａの間には、左右方向に隙間５５２Ｂが形成されている。
この隙間５５２Ｂは、例えば光ディスク１の搬送中にディスク装置１００に衝撃が加わった際に、ローディングリンクレバー５２３およびディスクガイドリンクレバー５４２が逃げる回動遊びである。すなわち、隙間５５２Ｂがない場合では、衝撃が加わった際に、例えばローディングアーム５１が衝撃により右壁１０Ｃ側に移動すると、ディスクガイドアーム５３も連動して左壁１０Ｂ側に移動してしまう。このため、ローディングアーム５１とディスクガイドアーム５３とで光ディスク１の周縁を保持できなくなり、光ディスク１が落下して動作不良の原因となるおそれがある。これに対して、隙間５５２Ｂを設けた構成では、衝撃が加わって、例えばローディングアーム５１が右壁１０Ｃ側に若干移動したとしても、ディスクガイドアーム５３が移動せず、光ディスク１の落下を防止することが可能となる。
【００５８】
さらに、レバー係合窓５５２の右壁１０Ｃ側には、それぞればね係合部５５２Ｃが形成されている。このばね係合部５５２Ｃは、ばね取付け部５２３Ｆ，５４２Ｆとの間に、図示しないばねが設けられ、前述したように、ローディングリンクレバー５２３およびディスクガイドリンクレバー５４２を時計回り方向に付勢している。
【００５９】
イジェクト規制窓５５３は、リンクプレート５５の略中心に形成される窓である。このイジェクト規制窓５５３は、搬出部６０の後述する第一イジェクトアーム６１の移動を規制する。このイジェクト規制窓５５３は、小径規制係合部５５３Ａと、大径規制係合部５５３Ｂと、小径離隔係合部５５３Ｃと、大径離隔係合部５５３Ｄとを備えている。また、イジェクト規制窓５５３には、第一イジェクトアーム６１に設けられるイジェクトピン６１１が挿通されている。そして、これらの小径規制係合部５５３Ａ、大径規制係合部５５３Ｂ、小径離隔係合部５５３Ｃ、および大径離隔係合部５５３Ｄは、イジェクトピン６１１が移動してそれぞれに係脱可能となるように互いに連通されており、リンクプレート５５がローディングアーム５１およびディスクガイドアーム５３と連動して左右方向にスライド移動することで、イジェクトピン６１１との係脱状態が変化する。
【００６０】
小径規制係合部５５３Ａは、イジェクト規制窓５５３の正面１０Ａ側で、かつ左壁１０Ｂ側に設けられている。この小径規制係合部５５３Ａには、小径ディスク１Ｂがターンテーブル２３にて保持可能なクランプ可能状態となったときに、イジェクトピン６１１が係合される。
【００６１】
大径規制係合部５５３Ｂは、イジェクト規制窓５５３の背面１０Ｄ側で、かつ左壁１０Ｂ側に設けられている。具体的には、大径規制係合部５５３Ｂは、小径規制係合部５５３Ａの右方から背面１０Ｄ側に伸びる大径対応溝５５３Ｅの先端側に設けられている。そして、この大径規制係合部５５３Ｂには、大径ディスク１Ａがターンテーブル２３に保持可能なクランプ可能状態となったときに、イジェクトピン６１１が係合される。
【００６２】
小径離隔係合部５５３Ｃは、小径規制係合部５５３Ａの右壁１０Ｃ側の若干背面１０Ｄ側に形成されている。この小径離隔係合部５５３Ｃには、小径ディスク１Ｂがターンテーブル２３に保持されて情報処理部２４にて情報処理可能な演奏可能状態となった際に、イジェクトピン６１１が係合される。
【００６３】
大径離隔係合部５５３Ｄは、大径規制係合部５５３Ｂの右壁１０Ｃ側の若干背面１０Ｄ側に形成されている。そして、大径離隔係合部５５３Ｄには、小径ディスク１Ｂがターンテーブル２３に保持されて情報処理部２４にて情報処理可能な演奏可能状態となった際に、イジェクトピン６１１が係合される。
【００６４】
セレクトピン５５４は、リンクプレート５５の背面１０Ｄ側で右壁１０Ｃ側に、後述するディスククランプ部７０の第一シフトカム７１に向かって突出形成されている。また、カム制御ピン５５５は、リンクプレート５５の正面１０Ａ側で右壁１０Ｃ側に、セレクトピン５５４と同様に、ディスククランプ部７０の第一シフトカム７１に向かって突出形成されている。
【００６５】
また、リンクプレート５５の背面１０Ｄ側の端縁には、筐体１０の底面に向かって折り曲げ形成されたスイッチ片５５０，５５６が形成されている。このスイッチ片５５０，５５６は、リンクプレート５５の左右移動により、筐体１０の底面に配置された制御回路部８０に設けられる第一スイッチＳＷ１および第二スイッチＳＷ２を切り換える。
【００６６】
ここで、これらの第一スイッチＳＷ１および第二スイッチＳＷ２は、制御回路部８０の背面１０Ｄ側で、スイッチ片５５０，５５６に左右進退移動の移動経路上に設けられている。そして、第一スイッチＳＷ１は左壁１０Ｂ側でコネクタ部１５の近傍に設けられ、第二スイッチＳＷ２は第一スイッチＳＷ１に対して右壁１０Ｃ側に配設されている。
【００６７】
すなわち、第一スイッチＳＷ１は、ローディングアーム５１の長手方向の一端部が前後方向である搬送経路から所定の後退する状態に回動したことを検出する位置に配設されている。また、第二スイッチＳＷ２は、ローディングアーム５１の長手方向の一端部が搬送経路に進出する状態から回動された状態、すなわち待機状態から光ディスク１により回動された状態か否かを検出する位置に配設されている。
【００６８】
これらの第一スイッチＳＷ１および第二スイッチＳＷ２は、スイッチ本体と、スイッチ本体から背面１０Ｄ側に突出するとともにスイッチ本体に対して進退自在な可動片を有している。そして、これら第一スイッチＳＷ１および第二スイッチＳＷ２は、可動片が突出した状態ではＯＦＦ状態であり、このＯＦＦ状態では、制御回路部８０から供給される基準電圧に基づいて「Ｈ(High)」レベルとして制御回路部８０にて検出される。一方、リンクプレート５５の移動によりスイッチ片５５０，５５６が可動片に当接すると、可動片がスイッチ本体内部に移動してＯＮ状態となり、このＯＮ状態では、制御回路部８０から供給される基準電圧に基づいて「Ｌ(Low)」レベルとして制御回路部８０にて検出される。
【００６９】
これらの第一スイッチＳＷ１および第二スイッチＳＷ２は、光ディスク１が挿入されていない初期状態では、いずれも可動片が背面１０Ｄ側に突出したＯＦＦ状態に設定されている。そして、光ディスク１が挿入されてローディングアーム５１およびディスクガイドアーム５３の回動とともにリンクプレート５５が左壁１０Ｂ側に移動すると、まず直ちに第二スイッチＳＷ２がＯＮ状態（Ｌレベル）となる。その後、さらにリンクプレート５５が左側に移動すると、第一スイッチＳＷ１がＯＮ状態（Ｌレベル）になる。
【００７０】
次に搬出部６０の構成を説明する。搬出部６０は、図１および図３に示すように、第一イジェクトアーム６１と、第二イジェクトアーム６２と、を備えている。これらの第一および第二イジェクトアーム６２は、筐体１０の背面１０Ｄ側で互いに交差して回動可能に設けられている。すなわち、第一イジェクトアーム６１は、背面１０Ｄの右壁１０Ｃ側から正面１０Ａの左壁１０Ｂ側に向かって長手に形成されており、第二イジェクトアーム６２は、背面１０Ｄの左壁１０Ｂ側から正面１０Ａの右壁１０Ｃ側に向かって長手に形成されている。また、第一および第二イジェクトアーム６１，６２の回動中心軸６１Ａ，６２Ａは、背面１０Ｄから所定寸法だけ正面１０Ａ側で、かつターンテーブル２３の中心を通過するセンターラインＬおよび右壁１０Ｃ、センターラインＬおよび左壁１０Ｂとの間にそれぞれ設けられている。また、この時、回動中心軸６１Ａおよび回動中心軸６２Ａは、互いにセンターラインＬに対して対称となる位置に設けられている。この構成により、回動中心軸６１Ａ，６２Ａを、第一シフトカム７１およびコネクタ部１５に干渉しない位置に取り付けることが可能であり、大径ディスク１Ａの挿入時に第一および第二イジェクトアーム６１，６２の先端部を背面１０Ｄ近傍まで回動させることが可能となる。
【００７１】
そして、第一イジェクトアーム６１は、前述したように、底面側に突出するイジェクトピン６１１を備えている。このイジェクトピン６１１は、第二イジェクトアーム６２に形成されるアームリンク溝６２１、前述したリンクプレート５５のイジェクト規制窓５５３、およびリンクプレート５５の天面側に配置されるトッププレート１７に形成されるイジェクトアーム規制溝１７１に係合されている。このイジェクトピン６１１は、イジェクトアーム規制溝１７１に沿って回動し、回動途中において、イジェクト規制窓５５３の小径規制係合部５５３Ａ、大径規制係合部５５３Ｂ、小径離隔係合部５５３Ｃ、大径離隔係合部５５３Ｄに係合されて、移動が規制される。また、イジェクトピン６１１がアームリンク溝６２１に沿って移動することで、第二イジェクトアーム６２が押し出され、第二イジェクトアーム６２が第一イジェクトアーム６１に連動して回動する。
【００７２】
また、第一イジェクトアーム６１の左壁１０Ｂ側の先端部には、光ディスク１を当接可能な第一ディスク当接部６１２が形成されている。さらに、第一イジェクトアーム６１の右壁１０Ｃ側の基端部には、第一シフトカム７１に向かって突出するカム押出ピン６１３（カム押出部材）が設けられている。このカム押出ピン６１３は、第一イジェクトアーム６１が回動すると、回動量に応じて第一シフトカム７１を正面１０Ａ側に押し出して移動させる。
【００７３】
そして、第一イジェクトアーム６１の回動中心軸６１Ａ近傍には、ばね係合突起６１４が形成されている。そして、第一イジェクトアーム６１は、このばね係合突起６１４と第二イジェクトアーム６２の図示しないばね係合部との間にばねが取り付けられ、常に反時計周り方向、すなわち第一ディスク当接部６１２が正面１０Ａ側に回動する方向に付勢されている。
【００７４】
さらに、イジェクトピン６１１の移動経路、すなわちイジェクトアーム規制溝１７１の背面１０Ｄ側の端部に対応する位置には、制御回路部８０に電気的に接続された第三スイッチＳＷ３が配設されている。この第三スイッチＳＷ３は、径寸法が異なる光ディスク１（１Ａ，１Ｂ）が送り込まれたことによる搬送手段３０の光ディスク１（１Ａ，１Ｂ）の保持状態を検出する。具体的には、第三スイッチＳＷ３は、径寸法が異なる光ディスク１（１Ａ，１Ｂ）を保持する搬出部６０の第一イジェクトアーム６１の搬送経路に対する進出状態である回動状態を検出する。
【００７５】
この第三スイッチＳＷ３は、第一および第二スイッチＳＷ１，ＳＷ２と同様に、スイッチ本体とこのスイッチ本体から突出する可動片を備えて構成されており、可動片がイジェクトアーム規制溝１７１の右側に突出する状態に配置されている。そして、第一イジェクトアーム６１が回動し、イジェクトピン６１１がイジェクトアーム規制溝１７１の背面１０Ｄ側端部に移動すると、可動片が押し込まれ、第三スイッチＳＷ３がＯＮ状態（Ｌレベル）となる。このように、制御回路部８０は、第三スイッチＳＷ３のＯＮ・ＯＦＦ状態（Ｌ・Ｈレベル）の切替を認識し、第三スイッチＳＷ３の検出状態を認識する。
【００７６】
第二イジェクトアーム６２には、前記したように、長手方向の略中心位置に、略円弧状に湾曲したアームリンク溝６２１が形成されている。そして、イジェクトピン６１１がこのアームリンク溝６２１内を移動すると、アームリンク溝６２１の側縁がイジェクトピン６１１に押し出され、第二イジェクトアーム６２が回動する。
【００７７】
また、第二イジェクトアーム６２の先端部には、光ディスク１を当接可能な第二ディスク当接部６２２が設けられている。この第二ディスク当接部６２２は、第一ディスク当接部６１２に対して常にセンターラインＬに対して略対称となる位置に配置される。すなわち、第一および第二イジェクトアーム６１，６２が回動すると、第一ディスク当接部６１２および第二ディスク当接部６２２は、センターラインＬに対して常に略線対称となるように回動する。これら第一および第二イジェクトアーム６１，６２の第一ディスク当接部６１２および第二ディスク当接部６２２と、ローディングアーム５１のローラ５１３およびディスクガイドアーム５３のディスクガイド部５３２とにより、光ディスク１（１Ａ，１Ｂ）が周縁で保持され、搬送される。
【００７８】
次に、本発明における切替手段に相当するディスククランプ部７０の構成を説明する。ディスククランプ部７０は、図１および図３に示すように、第一シフトカム７１と、ディスク処理部２０の背面１０Ｄ側に設けられる図示しない第二シフトカムと、セレクトアーム７３（移動子）を備えている。なお、第一シフトカム７１およびセレクトアーム７３により本発明における切替手段が構成される。
【００７９】
第一シフトカム７１は、筐体１０の段差壁部１３に沿って、前後方向に長手に形成されている。この第一シフトカム７１は、初期状態において、最も背面１０Ｄ側に移動した状態で配置され、前記したように第一イジェクトアーム６１のカム押出ピン６１３により正面１０Ａ側に押し出される。
【００８０】
また、第一シフトカム７１の正面１０Ａ側の左壁１０Ｂ側端面には、ラック７１１が形成されている。このラック７１１は、カムシフトギア４２５のピニオンギア４２５Ｂに係合可能に設けられている。そして、第一シフトカム７１は、カム押出ピン６１３にて正面１０Ａ側に押し出されると、このラック７１１がピニオンギア４２５Ｂに係合され、駆動部４０からの駆動力により前後方向に進退可能となる。
【００８１】
また、第一シフトカム７１の正面１０Ａ側は、筐体本体部１１の底面との間に大径シフトギア４２５Ａおよびシフト駆動分岐ギア４２２の厚み寸法以上の隙間が形成されている。さらに、第一シフトカム７１の天面側は、段差壁部１３の天面側端縁よりも筐体本体部１１の底面に近接する位置に形成されている。これにより、第一シフトカム７１が正面１０Ａ側に移動すると、第一シフトカム７１の正面１０Ａ側端部は、大径シフトギア４２５Ａおよびシフト駆動分岐ギア４２２の天面側の空間、およびローラ駆動分岐ギア４２３および第二伝達ギア４２４の底面側の空間を移動し、これらの大径シフトギア４２５Ａ、シフト駆動分岐ギア４２２、ローラ駆動分岐ギア４２３、および第二伝達ギア４２４との干渉が防止される。
【００８２】
さらに、第一シフトカム７１の背面１０Ｄ側には、天面に対向してカム溝７１２が形成されている。このカム溝７１２は、待機溝７１２Ａと、８ｃｍディスク用カム溝７１２Ｂと、１２ｃｍディスク用カム溝７１２Ｃと、クランプ溝７１２Ｄと、を備えている。待機溝７１２Ａは、カム溝７１２の正面１０Ａ側に形成され、左右方向に長手となる溝である。８ｃｍディスク用カム溝７１２Ｂは、待機溝７１２Ａに連続形成され、待機溝７１２Ａの右壁１０Ｃ側から背面１０Ｄ側に向かって形成される溝である。１２ｃｍディスク用カム溝７１２Ｃは、待機溝７１２Ａに連続形成され、待機溝７１２Ａの左壁１０Ｂ側から背面１０Ｄに向かって形成される溝である。クランプ溝７１２Ｄは、８ｃｍディスク用カム溝７１２Ｂおよび１２ｃｍディスク用カム溝７１２Ｃに連続形成されるとともに、第一シフトカム７１の左壁１０Ｂ側端縁に沿って背面側に延びる溝である。このカム溝７１２には、リンクプレート５５のカム制御ピン５５５が挿通されている。
【００８３】
また、第一シフトカム７１の背面１０Ｄ側の左壁１０Ｂ側には、天面側に立ち上がる第一押出壁部７１３が形成されている。この第一押出壁部７１３は、前述したように、第一イジェクトアーム６１のカム押出ピン６１３が当接可能に設けられている。そして、大径ディスク１Ａが挿入されると、カム押出ピン６１３により正面１０Ａ側に押し出される。
【００８４】
また、第一押出壁部７１３の右壁１０Ｃ側には、セレクトアーム７３が回動自在に取り付けられている。このセレクトアーム７３は、回動軸７３１を中心として、背面１０Ｄ側に伸びる押出片７３２と、正面１０Ａ側に延出するプレート係合片７３３と、を備えている。また、セレクトアーム７３の背面側には、ばね取付部７３４が形成されている。そして、このばね取付部７３４と第一シフトカム７１に設けられたばね係合部７１４との間にばね（本発明における付勢手段）が設けられており、セレクトアーム７３は常に時計回り方向に付勢されている。
押出片７３２は、背面１０Ｄ側の端部に第二押出壁部７３５を備えている。この第二押出壁部７３５は、第一押出壁部７１３と同様に、カム押出ピン６１３が当接可能に設けられており、小径ディスク１Ｂの挿入時に正面１０Ａ側に押し出される。
【００８５】
プレート係合片７３３は、先端部が左壁１０Ｂ側に湾曲して形成されており、背面１０Ｄ側にリンクプレート５５のセレクトピン５５４が係合可能なピン係合部７３３Ａ（図３参照）が設けられている。このピン係合部７３３Ａは、本発明における制御部材係合部に相当する。そして、リンクプレート５５が右壁１０Ｃ側に位置する初期状態では、このプレート係合片７３３のピン係合部７３３Ａにセレクトピン５５４が係合されており、セレクトアーム７３の回動が規制される。一方、大径ディスク１Ａが挿通され、リンクプレート５５が左壁１０Ｂ側にシフト移動すると、セレクトピン５５４がピン係合部７３３Ａから離脱し、セレクトアーム７３が時計回り方向に回動する。これにより、第一イジェクトアーム６１のカム押出ピン６１３が第一押出壁部７１３に当接可能となる。
【００８６】
そして、第一シフトカム７１の左壁１０Ｂ側端面には、図４に示すように、クランパ昇降溝７１５が形成されている。そして、このクランパ昇降溝７１５には、台座部２１から右壁１０Ｃ側に突設されたクランパ昇降ピン２１Ｃが係合されており、第一シフトカム７１の進退により、クランパ昇降ピン２１Ｃが移動することで台座部２１が昇降する。また、この第一シフトカム７１は、背面１０Ｄ側から正面１０Ａ側に移動する全移動ストロークをディスク処理部２０の揺動の制御、すなわちクランパ昇降動作に費やすことが可能となる。これにより、クランパ昇降溝７１５を形成可能な範囲が広くなる。そして、このクランパ昇降溝７１５は、退避部７１５Ａと、待機部７１５Ｂと、クランプ部７１５Ｃと、演奏状態部７１５Ｄとを備えており、これらの溝が連続して形成されている。
【００８７】
退避部７１５Ａは、クランパ昇降溝７１５の正面１０Ａ側で、筐体１０の底面に最も近接した高さ位置に前後方向に延びて形成されている。
【００８８】
待機部７１５Ｂは、退避部７１５Ａの背面１０Ｄ側に、ディスク処理部２０にて光ディスク１の情報処理が可能な高さ位置に形成されている。この待機部７１５Ｂでは、光ディスク１のセンターホールとターンテーブル２３との位置補正が実施される。
【００８９】
クランプ部７１５Ｃは、天面側に突出する山形状の溝である。このクランプ部７１５Ｃにクランパ昇降ピン２１Ｃが係合されると、台座部２１を天面側に移動させて、ターンテーブル２３を天面に設けられる図示しないクランプ部材に当接若しくは近接させる。このとき、ローディングアーム５１、ディスクガイドアーム５３、第一イジェクトアーム６１、および第二イジェクトアーム６２に保持された光ディスク１がターンテーブル２３に押し付けられる。これにより、クランプ部材とターンテーブル２３との間に光ディスク１が挟み込まれ、ターンテーブル２３のディスク係合部２３Ａに光ディスク１のセンターホールが係合される。さらに、センターホールに爪部材が係合して、光ディスク１がターンテーブル２３にチャッキングされる。
【００９０】
演奏状態部７１５Ｄは、クランプ部７１５Ｃの背面１０Ｄ側で、待機部７１５Ｂを略同一高さ位置、すなわち、ディスク処理部２０にて光ディスク１の情報を処理可能な高さ位置に形成されている。そして、この演奏状態部７１５Ｄにクランパ昇降ピン２１Ｃが係合されると、情報処理部２４にて光ディスク１の情報が処理される演奏可能状態となる。
【００９１】
また、第一シフトカム７１の背面１０Ｄ側近傍には、例えば底面に配置される制御回路部８０に搭載される第四スイッチＳＷ４が配設されている。この第四スイッチＳＷ４は、ディスク処理部２０の揺動状態を検出する。具体的には、第四スイッチＳＷ４は、ディスク処理部２０を揺動させる第一シフトカム７１の移動状態を検出することにより、ディスク処理部２０の揺動状態を検出する。
【００９２】
この第四スイッチＳＷ４は、上記スイッチＳＷ１，ＳＷ２，ＳＷ３と同様に、制御回路部８０に接続され、スイッチ本体と可動片とを備えて構成されており、初期状態では、可動片が第一シフトカム７１の左壁１０Ｂ側端面により押し込まれた状態となっている。そして、第四スイッチＳＷ４は、第一シフトカム７１が正面１０Ａ側に移動すると、可動片が突出してＯＦＦ状態（Ｈレベル）になる。このように、制御回路部８０は、第四スイッチＳＷ４のＯＮ・ＯＦＦ状態（Ｌ・Ｈレベル）の切替を認識し、第四スイッチＳＷ４の検出状態を認識する。
【００９３】
第二シフトカムは、第一シフトカム７１の動作と連動して左右方向にスライド移動する。すなわち、第一シフトカム７１が正面１０Ａ側に移動すると、第二シフトカムは左壁１０Ｂ側に移動し、第一シフトカム７１が背面１０Ｄ側に移動すると、第二シフトカムは右壁１０Ｃ側に移動する。また、第二シフトカムの正面１０Ａ側端面には、第一シフトカム７１のクランパ昇降溝７１５と同一形状の図示しないクランパ昇降溝が形成されている。このクランパ昇降溝には、台座部２１から背面１０Ｄ側に突出する図示しないクランパ昇降ピン２１Ｃが係合されている。そして、第二シフトカムは、左右方向に移動することで第一シフトカム７１と同様に、ディスク処理部２０を揺動させている。
【００９４】
〔ディスク装置の動作〕
次に、上記ディスク装置の動作について、図面を参照して説明する。
図５は、大径ディスクの挿入初期時におけるディスク装置の内部を示す平面図である。図６は、大径ディスクの搬送途中におけるディスク装置の内部を示す平面図である。図７は、大径ディスクの搬入完了時におけるディスク装置の内部を示す平面図である。図８は、大径ディスクのクランプ完了時におけるディスク装置の内部を示す平面図である。図９は、大径ディスクの排出完了時におけるディスク装置の内部を示す平面図である。図１０は、小径ディスクの搬入開始時および搬出完了時におけるディスク装置の内部を示す平面図である。図１１は、小径ディスクの搬送途中におけるディスク装置の内部を示す平面図である。図１２は、小径ディスクの搬入完了時におけるディスク装置の内部を示す平面図である。図１３は、小径ディスクのクランプ完了時におけるディスク装置の内部を示す平面図である。図１４は、大径ディスクの搬送状態に対応した第一ないし第四スイッチのタイミングチャートである。図１５は、小径ディスクの搬送状態に対応した第一ないし第四スイッチのタイミングチャートである。
【００９５】
（大径ディスクの搬入動作）
先ず、ディスク装置１００に大径ディスク１Ａを挿入した場合の搬入動作を説明する。
図５に示すように、初期状態のディスク装置１００の挿排口１４から大径ディスク１Ａを挿入すると、この大径ディスク１Ａの周縁部がローディングアーム５１のローラ５１３およびディスクガイドアーム５３のディスクガイド部５３２に当接する。この状態でさらに大径ディスク１Ａを背面１０Ｄ側に挿入すると、ローディングアーム５１が右壁１０Ｃ側に回動し、ディスクガイドアーム５３が左壁１０Ｂ側に回動する。これにより、ローディングアーム５１およびディスクガイドアーム５３の回動と連動して、リンクプレート５５も左壁１０Ｂ側にスライド移動する。
【００９６】
そして、リンクプレート５５のスイッチ片５５６が第二スイッチＳＷ２の可動片に当接して、第二スイッチＳＷ２がＯＮ状態（Ｌレベル）になると（図１４中のＴ１）、ディスク装置１００の制御回路部８０は、駆動部４０の駆動モータ４１を駆動させる制御をする。これにより、駆動モータ４１の駆動力がローディングアーム５１のローラ５１３に伝達され、ローラ５１３が大径ディスク１Ａを筐体１０の内部に引き入れる方向に回転駆動する（図１４中のＴ２）。
【００９７】
また、ローディングアーム５１およびディスクガイドアーム５３は、ローラ５１３およびディスクガイド部５３２にて、大径ディスク１Ａのセンターホールの中心がセンターラインＬよりも若干左側にシフトした状態で、この大径ディスク１Ａの搬送を案内する。そして、ローラ５１３およびディスクガイド部５３２が大径ディスク１Ａの最大径部を保持する時、ローディングアーム５１およびディスクガイドアーム５３は、それぞれ右壁１０Ｃおよび左壁１０Ｂに最も近接する位置まで回動する。この時、ローラ５１３の右壁１０Ｃ側は右壁１０Ｃに形成された逃げ孔部に挿入され、ローラ５１３および右壁１０Ｃの干渉が防止される。
【００９８】
この後、さらに大径ディスク１Ａが手動およびローラ５１３の駆動力により筐体１０の内部に搬入されると、大径ディスク１Ａの挿入先端部が第一イジェクトアーム６１の第一ディスク当接部６１２に当接する。そして、ローラ５１３により大径ディスク１Ａがさらに背面１０Ｄ側に搬入されると、第一イジェクトアーム６１が回動される。この時、大径ディスク１Ａは、第一イジェクトアーム６１の第一ディスク当接部６１２および第二イジェクトアーム６２の第二ディスク当接部６２２の間に挟みこまれるように搬入され、大径ディスク１Ａのセンターホールの中心がディスク装置１００のセンターラインＬ上で移動される。
【００９９】
さらに、大径ディスク１Ａを背面１０Ｄ側に移動すると、リンクプレート５５がさらに左壁１０Ｂ側に移動される。これにより、図６に示すように、第一スイッチＳＷ１の可動片にスイッチ片５５０が当接して、第一スイッチＳＷ１がＯＮ状態（Ｌレベル）となる（図１４中のＴ３）。
【０１００】
この後、さらに大径ディスク１Ａを挿入すると、イジェクトピン６１１が大径規制係合部５５３Ｂに係合され、第一イジェクトアーム６１の移動が規制される。また、大径ディスク１Ａの挿入時には、ローディングアーム５１およびディスクガイドアーム５３が、それぞれ右壁１０Ｃおよび左壁１０Ｂの近傍まで回動するため、リンクプレート５５も左壁１０Ｂ側に大きく移動する。このため、リンクプレート５５のセレクトピン５５４がセレクトアーム７３のピン係合部７３３Ａから脱離し、セレクトアーム７３が時計回り方向に回動する。従って、第一イジェクトアーム６１のカム押出ピン６１３は、セレクトアーム７３の第二押出壁部７３５に当接せず、第一押出壁部７１３まで回動して当接する。さらに、カム制御ピン５５５は、リンクプレート５５の移動により、カム溝７１２の待機溝７１２Ａおよび１２ｃｍディスク用カム溝７１２Ｃの連結部まで移動する。
【０１０１】
そして、図７に示すように、大径ディスク１Ａの搬入が完了して、ターンテーブル２３の上方に移動される（図１４中のＴ４）と、カム押出ピン６１３が第一押出壁部７１３を正面１０Ａ側に押し出す。これにより、第一シフトカム７１が正面１０Ａ側に移動され、ラック７１１とカムシフトギア４２５のピニオンギア４２５Ｂとが係合される。そして、第一シフトカム７１が駆動部４０から伝達される駆動力により正面１０Ａ側に移動され、クランプ動作が開始される。
【０１０２】
クランプ動作は、第一シフトカム７１の移動により、台座部２１のクランパ昇降ピン２１Ｃが、第一シフトカム７１のクランパ昇降溝７１５内を移動することで実施される。具体的には、第一シフトカム７１の移動開始時では、クランパ昇降ピン２１Ｃは、退避部７１５Ａに配置されており、台座部２１は退避部７１５Ａの高さ位置に対応して筐体１０の底面側に位置している。
この状態から第一シフトカム７１が正面１０Ａ側に移動すると、クランパ昇降ピン２１Ｃが待機部７１５Ｂに移動する。これにより、台座部２１は、待機部７１５Ｂに対応する高さ位置で一旦昇降が停止され、光ディスク１のセンターホールとターンテーブル２３のディスク係合部２３Ａとの位置補正が実施される。
【０１０３】
さらに、第一シフトカム７１が正面１０Ａ側に移動すると、クランパ昇降ピン２１Ｃがクランプ部７１５Ｃに移動する。これにより、台座部２１が天面側に移動し、ターンテーブル２３と天面に設けられるクランプ部材との間に大径ディスク１Ａを挟みこみ、ディスク係合部２３Ａに大径ディスク１Ａのセンターホールを係合させ、クランプ動作が完了する。この後、クランパ昇降ピン２１Ｃが演奏状態部７１５Ｄに移動すると、図８に示すように、台座部２１が情報処理部２４にて大径ディスク１Ａの情報を処理可能な高さ位置に移動する。
【０１０４】
また、このクランプ動作中において、カム制御ピン５５５は、１２ｃｍディスク用カム溝７１２Ｃを通って、クランプ溝７１２Ｄに移動する。これにより、リンクプレート５５がさらに左壁１０Ｂに移動し、イジェクトピン６１１が大径規制係合部５５３Ｂから大径離隔係合部５５３Ｄに移動される。すなわち、第一および第二ディスク当接部６１２，６２２が大径ディスク１Ａの周縁部から離れるように、第一および第二イジェクトアーム６１，６２が背面１０Ｄ側に回動する。また、この時、イジェクトピン６１１は、イジェクトアーム規制溝１７１の底面側に設けられた第三スイッチＳＷ３をＯＮ状態（Ｌレベル）にする（図１４中のＴ５）。
【０１０５】
さらに、このリンクプレート５５の移動により、ローディングアーム５１およびディスクガイドアーム５３もそれぞれ右壁１０Ｃ近傍、左壁１０Ｂ近傍まで回動し、ローラ５１３およびディスクガイド部５３２が大径ディスク１Ａの周縁から離隔する。
【０１０６】
この後、第一シフトカム７１がさらに正面１０Ａ側に移動すると、第四スイッチＳＷ４の可動片と第一シフトカム７１の端面とが離隔してＯＦＦ状態（Ｈレベル）となる（図１４中のＴ６）。これにより、制御回路部８０は、大径ディスク１Ａのクランプが完了したことを認識し、駆動モータ４１を停止させる（図１４中のＴ７）。ここで、制御回路部８０は、第三スイッチＳＷ３と第四スイッチＳＷ４との状態により挿入された光ディスク１の径寸法を判断する。すなわち、制御回路部８０は、第四スイッチＳＷ４がＯＦＦ状態（Ｈレベル）になった際に、第三スイッチＳＷ３がＯＮ状態（Ｌレベル）である場合、挿入された光ディスク１が大径ディスク１Ａであると判断する。一方、後述するが、第四スイッチＳＷ４がＯＦＦ状態（Ｈレベル）になった際に、第三スイッチＳＷ３がＯＦＦ状態（Ｈレベル）である場合、挿入された光ディスク１が小径ディスク１Ｂであると判断する。
そして、制御回路部８０は、ディスク処理部２０の情報処理部２４の駆動を制御し、大径ディスク１Ａの情報を処理、すなわち、大径ディスク１Ａへの情報を書込む書込処理や、大径ディスク１Ａに記録された情報を読み込む読込処理を実施する。
【０１０７】
（大径ディスクの搬出動作）
次に、大径ディスク１Ａの搬出動作について説明する。
ディスク装置１００の制御回路部８０は、例えば図示しないイジェクトボタンが押されるなどして、大径ディスク１Ａを搬出する旨の入力信号を認識すると、大径ディスク１Ａを筐体１０の外部に搬出させる動作を実施する。すなわち、制御回路部８０は、まず駆動モータ４１を駆動させる制御をする。
【０１０８】
この搬出させる動作としては、制御回路部８０は、まず駆動部４０の駆動モータ４１を駆動させて（図１４中のＴ８）、第一シフトカム７１を背面１０Ｄ側に移動させる。この第一シフトカム７１の背面１０Ｄ側への移動により、第四スイッチＳＷ４がＯＮ状態（Ｌレベル）となる（図１４中のＴ９）。
さらに、第一シフトカム７１の背面１０Ｄ側への移動により、カム制御ピン５５５がカム溝７１２を移動し、リンクプレート５５が右壁１０Ｃ側に移動する。したがって、リンクプレート５５に連動してローディングアーム５１、ディスクガイドアーム５３、第一および第二イジェクトアーム６１，６２が回動し、光ディスク１がローラ５１３、ディスクガイド部５３２、第一および第二ディスク当接部６１２，６２２により保持される。この状態で、第三スイッチＳＷ３がＯＦＦ状態（Ｈレベル）となる（図１４中のＴ１０）。
この状態で、さらに第一シフトカム７１が背面１０Ｄ側に移動すると、台座部２１が底面側に移動するため、ターンテーブル２３から大径ディスク１Ａが脱離する。
【０１０９】
この後、ローディングアーム５１のローラ５１３の駆動および第一および第二イジェクトアーム６１，６２の付勢力により、大径ディスク１Ａは正面１０Ａ側に搬送され、挿排口１４から排出される。また、制御回路部８０は、図９に示すように、リンクプレート５５が右壁１０Ｃ側に移動して、第一スイッチＳＷ１がＯＦＦ状態（Ｈレベル）となると（図１４中のＴ１１）、駆動モータ４１を停止し（図１４中のＴ１２）、ローラ５１３の駆動を停止させる。
【０１１０】
（小径ディスクの搬入）
次に、ディスク装置１００に小径ディスク１Ｂを挿入した場合の搬入動作を説明する。図１０に示すように、初期状態のディスク装置１００の挿排口１４から小径ディスク１Ｂを挿入すると、この小径ディスク１Ｂの周縁部がローディングアーム５１のローラ５１３およびディスクガイドアーム５３のディスクガイド部５３２に当接する。この状態でさらに小径ディスク１Ｂを背面１０Ｄ側に挿入すると、ローディングアーム５１が右壁１０Ｃ側に回動し、ディスクガイドアーム５３が左壁１０Ｂ側に回動する。これにより、ローディングアーム５１およびディスクガイドアーム５３の回動と連動して、リンクプレート５５も左壁１０Ｂ側にスライド移動する。
【０１１１】
そして、リンクプレート５５のスイッチ片５５６が第二スイッチＳＷ２の可動片に当接して、第二スイッチＳＷ２がＯＮ状態（Ｌレベル）になると（図１５中のＴ１３）、ディスク装置１００の制御回路部８０は、駆動部４０の駆動モータ４１を駆動させる制御をする。これにより、駆動モータ４１の駆動力がローディングアーム５１のローラ５１３に伝達され、ローラ５１３が小径ディスク１Ｂを筐体１０の内部に引き入れる方向に回転駆動する（図１５中のＴ１４）。
【０１１２】
この後、さらに小径ディスク１Ｂが手動およびローラ５１３の駆動力により筐体１０の内部に搬入されると、小径ディスク１Ｂの挿入先端部が第一イジェクトアーム６１の第一ディスク当接部６１２に当接する。そして、ローラ５１３により小径ディスク１Ｂがさらに背面１０Ｄ側に搬入されると、第一イジェクトアーム６１が回動される。この時、小径ディスク１Ｂは、第一イジェクトアーム６１の第一ディスク当接部６１２および第二イジェクトアーム６２の第二ディスク当接部６２２の間に挟みこまれるように搬入され、小径ディスク１Ｂの中心がディスク装置１００のセンターラインＬ上で移動される。
【０１１３】
さらに、小径ディスク１Ｂを背面１０Ｄ側に移動すると、リンクプレート５５がさらに左壁１０Ｂ側に移動される。これにより、図１１に示すように、第一スイッチＳＷ１の可動片にスイッチ片５５０が当接して、第一スイッチＳＷ１がＯＮ状態（Ｌレベル）となる（図１５中のＴ１５）。
さらに、小径ディスク１Ｂを背面１０Ｄ側に移動すると、リンクプレート５５がさらに左壁１０Ｂ側に移動される。これにより、図１１に示すように、第一スイッチＳＷ１の可動片にスイッチ片５５６が当接して、第一スイッチＳＷ１がＯＮ状態（Ｌレベル）となる（図１５中のＴ１５）。
【０１１４】
この後、さらに小径ディスク１Ｂを挿入すると、イジェクトピン６１１が小径規制係合部５５３Ａに係合され、第一イジェクトアーム６１の移動が規制される。また、第一イジェクトアーム６１のカム押出ピン６１３は、セレクトアーム７３の第二押出壁部７３５に当接する。さらに、この時、カム制御ピン５５５は、リンクプレート５５の移動により、カム溝７１２の待機溝７１２Ａおよび８ｃｍディスク用カム溝７１２Ｂの連結部まで移動する。
【０１１５】
そして、図１２に示すように、小径ディスク１Ｂの搬入が完了して、小径ディスク１Ｂがターンテーブル２３の上方に移動される（図１５中のＴ１６）と、カム押出ピン６１３が第二押出壁部７３５を正面１０Ａ側に押し出す。これにより、第一シフトカム７１が正面１０Ａ側に移動され、ラック７１１とカムシフトギア４２５のピニオンギア４２５Ｂとが係合される。そして、第一シフトカム７１が駆動部４０から伝達される駆動力により正面１０Ａ側に移動され、クランプ動作が開始される。なお、クランプ動作は、前記した大径ディスク１Ａの動作と同様であるため、ここでの説明は省略する。
【０１１６】
また、クランプ動作中において、カム制御ピン５５５は、８ｃｍディスク用カム溝７１２Ｂを通って、クランプ溝７１２Ｄに移動する。これにより、リンクプレート５５がさらに左壁１０Ｂに移動し、イジェクトピン６１１が小径規制係合部５５３Ａから小径離隔係合部５５３Ｃに移動される。すなわち、第一および第二ディスク当接部６１２，６２２が小径ディスク１Ｂの周縁部から離れるように、第一および第二イジェクトアーム６１，６２が背面１０Ｄ側に回動する。
【０１１７】
さらに、このリンクプレート５５の移動により、ローディングアーム５１およびディスクガイドアーム５３は、それぞれ右壁１０Ｃ近傍、左壁１０Ｂ近傍まで回動し、ローラ５１３およびディスクガイド部５３２が小径ディスク１Ｂの周縁から離隔する。
【０１１８】
この後、第一シフトカム７１がさらに正面１０Ａ側に移動すると、図１３に示すように、第四スイッチＳＷ４の可動片と第一シフトカム７１の端面とが離隔してＯＦＦ状態（Ｈレベル）となる（図１５中のＴ１７）。これにより、制御回路部８０は、クランプ動作が完了したことを認識し、駆動モータ４１を停止させる（図１５中のＴ１８）。ここで、制御回路部８０は、前記したように、第三スイッチＳＷ３と第四スイッチＳＷ４との状態により挿入された光ディスク１の径寸法を判断する。すなわち、制御回路部８０は、第四スイッチＳＷ４がＯＦＦ状態（Ｈレベル）になった際に、第三スイッチＳＷ３がＯＦＦ状態（Ｈレベル）であると、挿入された光ディスク１が小径ディスク１Ｂであると判断する。
そして、制御回路部８０は、ディスク処理部２０の情報処理部２４の駆動を制御し、小径ディスク１Ｂの情報を処理、すなわち、小径ディスク１Ｂへの情報を書込む書込処理や、小径ディスク１Ｂに記録された情報を読み込む読込処理を実施する。
【０１１９】
（小径ディスクの搬出動作）
次に、小径ディスク１Ｂの搬出動作について説明する。
ディスク装置１００の制御回路部８０は、例えば図示しないイジェクトボタンが押されるなどして、小径ディスク１Ｂを搬出する旨の入力信号を認識すると、小径ディスク１Ｂを筐体１０の外部に搬出させる動作を実施する。すなわち、制御回路部８０は、まず駆動モータ４１を駆動させる制御をする。
【０１２０】
この搬出動作としては、制御回路部８０は、大径ディスク１Ａの搬出動作と同様に、まず駆動部４０の駆動モータ４１を駆動させて（図１５中のＴ１９）、第一シフトカム７１を背面１０Ｄ側に移動させる。この第一シフトカム７１の背面１０Ｄ側への移動により、第四スイッチＳＷ４がＯＮ状態（Ｌレベル）となる（図１５中のＴ２０）。
さらに、第一シフトカム７１の背面１０Ｄ側への移動により、カム制御ピン５５５がカム溝７１２を移動し、リンクプレート５５が右壁１０Ｃ側に移動する。したがって、リンクプレート５５に連動してローディングアーム５１、ディスクガイドアーム５３、第一および第二イジェクトアーム６１，６２が回動し、小径ディスク１Ｂがローラ５１３、ディスクガイド部５３２、第一および第二ディスク当接部６１２，６２２により保持される。この状態で、さらに第一シフトカム７１が背面１０Ｄ側に移動すると、台座部２１が底面側に移動するため、ターンテーブル２３から小径ディスク１Ｂが脱離する。
【０１２１】
この後、ローディングアーム５１のローラ５１３の駆動および第一および第二イジェクトアーム６１，６２の付勢力により、小径ディスク１Ｂは正面１０Ａ側に搬送される。なお、この小径ディスク１Ｂの正面１０Ａ側への搬送途中において、第一スイッチＳＷ１がＯＦＦ状態（Ｈレベル）となる（図１５中のＴ２１）が、制御回路部８０は、前記した搬入動作において、搬入された光ディスク１が小径ディスク１Ｂであると判断しているため、ここでは駆動モータ４１の駆動を停止させない。
この後、さらに、小径ディスク１Ｂがさらに正面１０Ｂ側に搬出されると、挿排口１４から小径ディスク１Ｂが排出される。そして、第二スイッチＳＷ２がＯＦＦ状態（Ｈレベル）となると（図１５中のＴ２２）、制御回路部８０は、駆動モータ４１を停止させて（図１５中のＴ２３）、ローラ５１３の駆動を停止させる。
【０１２２】
〔ディスク装置の作用効果〕
上述したように、上記一実施の形態のディスク装置１００では、筐体１０と、ターンテーブル２３、スピンドルモータおよび情報処理部２４を備え揺動可能に筐体１０内に軸支されたディスク処理部２０と、駆動部４０と、搬送手段３０と、ディスククランプ部７０とを備えている。搬送手段３０は、駆動部４０の駆動により挿排口１４およびターンテーブル２３にてクランプされる位置間で光ディスク１を保持しつつ搬送する。ディスククランプ部７０は、搬送手段３０による径寸法が異なる光ディスク１の保持状態に応じて駆動部４０の駆動の伝達を切り替え、光ディスク１の搬送経路上にターンテーブル２３が進退する状態に、ディスク処理部２０を揺動させる。
このように、１つの駆動部４０の駆動より、搬送手段３０にて光ディスク１を搬送させると共に、ディスククランプ部７０にてディスク処理部２０を揺動させる。このため、搬送手段３０およびディスククランプ部７０のそれぞれに独立した駆動手段を設ける従来の構成と比較して、構成部品が少なくて済むので、ディスク装置１００を小型化できる。また、ディスククランプ部７０は、搬送手段３０による径寸法が異なる光ディスク１の保持状態に応じて駆動部４０の駆動の伝達を切り替える。このため、光ディスク１を搬送するタイミングと、ディスク処理部２０を揺動させるタイミングとを、光ディスク１の径寸法に応じて好適に調整できる。したがって、小型化が可能で、径寸法の異なる光ディスク１を好適に処理できる。
【０１２３】
また、ディスククランプ部７０は、ディスク処理部２０に係合し駆動部４０の駆動により所定の方向に移動され、ディスク処理部２０を揺動させる第一シフトカム７１と、搬送手段３０による径寸法が異なる光ディスク１の保持状態に応じて移動して、第一シフトカム７１に対する駆動部４０の駆動の伝達を切り替えるセレクトアーム７３と、を備えている。
このように、第一シフトカム７１およびセレクトアーム７３の移動という機構的な手法で、光ディスク１の径寸法に応じて、ディスク処理部２０を揺動させるタイミングを調整でき、光ディスク１をターンテーブル２３に確実にクランプさせることができる。このため、当該タイミングを調整するために、例えばセンサにて光ディスク１の径寸法の情報を取得して当該情報に基づいて電子的に動作制御するなど複雑な構成を採用せずに、径寸法の異なる光ディスク１に対してミスクランプが発生することなく、好適にディスク処理を実施できる。
【０１２４】
そして、搬送手段３０は、光ディスク１をターンテーブル２３にてクランプされる位置まで搬送した際に、第一シフトカム７１の前後方向に第一シフトカム７１を押し出すカム押出ピン６１３を備えている。セレクトアーム７３は、搬送手段３０による径寸法が異なる光ディスク１の保持状態に応じて移動し、カム押出ピン６１３による第一シフトカム７１の押出位置を切り替える。第一シフトカム７１は、カム押出ピン６１３にて押し出されることにより、駆動部４０からの駆動力が伝達されて移動を開始する状態に設けられている。すなわち、第一シフトカム７１は、カム押出ピン６１３にて正面Ａ側に押し出されることにより、ラック７１１がピニオンギア４２５Ｂに係合されて、駆動部４０からの駆動力により前後方向に進退可能となる。
このため、セレクトアーム７３が搬送手段３０による光ディスク１の保持状態に応じて移動し、カム押出ピン６１３による第一シフトカム７１の押出位置を切り替えるので、径寸法の異なる光ディスク１のそれぞれに対応した状態で、クランプ動作を開始することができる。また、第一シフトカム７１は、カム押出ピン６１３にて正面Ａ側に押し出されるまで駆動部４０からの駆動力が伝達されないので、光ディスク１の径寸法に応じた好適なタイミングまで待機させることができる。したがって、径寸法の異なる光ディスク１を搬送するタイミングと、ディスク処理部２０を揺動させるタイミングとを、機構的な手法で確実に調整できる。
【０１２５】
また、ディスククランプ部７０は、光ディスク１の径寸法の種類に対応した複数の押出壁部（７１３，７３５）を備えている。これら押出壁部は、第一シフトカム７１の前後方向に沿って所定間隔で並設され、カム押出ピン６１３が当接して第一シフトカム７１を押し出し可能とされている。
このように、光ディスク１の径寸法に対応した複数の押出壁部を利用することにより、カム押出ピン６１３にて第一シフトカム７１を押し出す位置を簡易かつ確実に調整することができる。したがって、径寸法の異なる光ディスク１に対してミスクランプが発生することなく、好適に光ディスク１をクランプできる。
【０１２６】
特に、第一シフトカム７１は、カム押出ピン６１３が当接して第一シフトカム７１を押し出し可能な第一押出壁部７１３を有している。セレクトアーム７３は、セレクトアーム７３の移動に伴って時計回り方向に沿って進退し、カム押出ピン６１３が当接して第一シフトカム７１を押し出し可能な第二押出壁部７３５を有している。
これら第一押出壁部７１３および第二押出壁部７３５を利用することで、大径ディスク１Ａおよび小径ディスク１Ｂのいずれが挿入されても、カム押出ピン６１３にて第一シフトカム７１を押し出す位置を好適に切り替えることができる。すなわち、第二押出壁部７３５は、セレクトアーム７３の移動に伴って時計回り方向に沿って進退可能となっている。このため、光ディスク１が挿入されてカム押出ピン６１３が第一シフトカム７１の移動方向に沿って移動した場合、挿入されたディスクの径寸法に応じて第二押出壁部７３５をカム押出ピン６１３の移動経路から退避させることができる。これにより、挿入されたディスクの径寸法に応じて、第一押出壁部７１３または第二押出壁部７３５にカム押出ピン６１３を当接させることができ、ディスククランプ部７０の揺動開始のタイミングを機構的に切り替えることができる。
【０１２７】
そして、セレクトアーム７３は、第二押出壁部７３５が第一押出壁部７１３に対して進退する状態に回動可能に第一シフトカム７１に設けられている。
このように、セレクトアーム７３が第一シフトカム７１にて回動することにより、第一押出壁部７１３および第二押出壁部７３５のいずれかにカム押出ピン６１３を当接させることができる。したがって、セレクトアーム７３の移動領域が小さくて済むので、ディスク装置１００をコンパクトなものとすることができる。また、セレクトアーム７３が回動するだけでカム押出ピン６１３による第一シフトカム７１の押出位置を切り替えることができるので、簡易な構造で確実に光ディスク１をクランプできる。したがって、製造効率を向上できると共に、コンパクトかつ光ディスク１のクランプ動作が確実なディスク装置１００を提供できる。
【０１２８】
また、第一押出壁部７１３は、第一シフトカム７１の背面１０Ｄ側に設けられている。セレクトアーム７３は、第一シフトカム７１の背面１０Ｄ側に移動可能な状態で設けられている。第二押出壁部７３５は、セレクトアーム７３が移動しない状態では、第一押出壁部７１３よりもさらに背面１０Ｄ側に設けられている。
このため、小径ディスク１Ｂがターンテーブル２３にてクランプされる位置まで搬送手段３０により搬送された際には、背面１０Ｄ側から正面１０Ａ側に向けて移動するカム押出ピン６１３が第二押出壁部７３５に当接する状態となる。また、大径ディスク１Ａがターンテーブル２３にてクランプされる位置まで搬送手段３０により搬送された際には、セレクトアーム７３は時計回り方向に回動し、背面１０Ｄ側から正面１０Ａ側に向けて移動するカム押出ピン６１３が第一押出壁部７１３に当接する状態となる。このように、筐体１０の背面１０Ｄ側の狭小なデッドスペースを利用して、好適にディスク処理部２０を揺動させるタイミングを切り替えることができる。
【０１２９】
そして、搬送手段３０は、搬入部５０と、この搬入部５０と共に光ディスク１を保持しつつ光ディスク１を搬送する第一イジェクトアーム６１とを備えている。カム押出ピン６１３は、第一イジェクトアーム６１の基端部に、第一シフトカム７１と略対向する方向に突出した状態で設けられている。
これにより、光ディスク１の搬入に伴って第一イジェクトアーム６１が回動した際、第一イジェクトアーム６１の基端部に設けられたカム押出ピン６１３が第一シフトカム７１を正面１０Ａ側へ向けて押し出すことができる。このようにして、光ディスク１を搬送するタイミングと、ディスク処理部２０を揺動させるタイミングとを、光ディスク１の径寸法に応じて好適に調整できる。また、筐体１０の背面１０Ｄ側の狭小なデッドスペースを利用して、好適にディスク処理部２０を揺動させるタイミングを切り替えることができる。
【０１３０】
また、搬送手段３０は、筐体１０内における搬送経路の後方側に設けられ、搬入部５０および第一イジェクトアーム６１による光ディスク１の搬送動作に連動して第一シフトカム７１の左右方向に移動するリンクプレート５５を具備している。このリンクプレート５５は、光ディスク１の径寸法に応じてセレクトアーム７３に係脱可能に設けられ、光ディスク１をターンテーブル２３にて保持される位置まで搬送した際におけるセレクトアーム７３の移動を制御するセレクトピン５５４を有している。セレクトアーム７３は、セレクトピン５５４が係合可能なピン係合部７３３Ａを有している。
これにより、第一イジェクトアーム６１の回動に連動して左右方向に移動するリンクプレート５５を利用して、セレクトアーム７３の移動を制御できる。すなわち、第一イジェクトアーム６１の背面１０Ｄ側への回動と連動して、リンクプレート５５が左壁１０Ｂ側へと移動する。そして、挿入された光ディスク１が大径ディスク１Ａである場合、リンクプレート５５は左壁１０Ｂ側へ所定距離以上移動して、セレクトピン５５４がピン係合部７３３Ａから離脱し、これにて、カム押出ピン６１３が第一押出壁部７１３に当接する状態にセレクトアーム７３を回動させることができる。また、挿入された光ディスク１が小径ディスク１Ｂである場合、リンクプレート５５は左壁１０Ｂ側へ所定の距離移動せず、ピン係合部７３３Ａにセレクトピン５５４が係合されたままとなり、これにてセレクトアーム７３の回転を規制できる。したがって、径寸法の異なる光ディスク１の搬送タイミングに合わせてセレクトアーム７３の移動を制御でき、好適なタイミングでディスククランプ部７０を揺動させることができる。
【０１３１】
さらに、セレクトアーム７３は、ばね取付部７３４とばね係合部７１４とに亘って設けられたばね（図示せず）にて、第一シフトカム７１の時計回り方向に付勢された状態で設けられている。
これにより、大径の光ディスク１が挿入された場合、リンクプレート５５は交差する方向に所定距離移動して、セレクトピン５５４がピン係合部７３３Ａから離脱し、これにて、セレクトアーム７３がばねの付勢力により回動して、カム押出ピン６１３を第一押出壁部７１３に当接させることができる。したがって、カム押出ピン６１３によるセレクトアーム７３の押出位置の切替を確実に実施できる。
【０１３２】
また、ディスク処理部２０を揺動させる第二シフトカムがリンクプレート５５に設けられている。
このため、台座部２１に一対で設けられたクランパ昇降ピン２１Ｃをそれぞれ第一シフトカム７１および第二シフトカムに係合させて、ディスククランプ部７０を揺動させることができる。これにより、ディスククランプ部７０を安定して揺動させることができる。
【０１３３】
〔実施形態の変形〕
なお、本発明は、上述した一実施の形態に限定されるものではなく、本発明の目的を達成できる範囲で以下に示される変形をも含むものである。
【０１３４】
すなわち、上記実施の形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置にも適用することができる。
【０１３５】
また、ディスク装置１００は、大径ディスク１Ａおよび小径ディスク１Ｂを筐体１０の内部に搬送して情報処理することが可能であるとしたが、これに限定されない。例えば、さらに多くのディスク径に対応することも可能である。この場合、それぞれのディスク径に応じてリンクプレート５５の移動を制御し、ローディングアーム５１、ディスクガイドアーム５３、第一および第二イジェクトアーム６１，６２の回動角度を適宜設定すればよい。
【０１３６】
そして、光ディスク１の種類も大径ディスク１Ａおよび小径ディスク１Ｂの２種類に限らず、さらに多くの種類の光ディスク１を処理対象とすることができる。この場合、各光ディスク１に対応して、第一押出壁部、第二押出壁部、第三押出壁部、、、というようにカム押出ピン６１３に当接可能な押出壁部を設けてセレクトアーム７３を適宜移動させればよい。これにより、３種以上の径寸法の異なる光ディスクを良好に処理できるディスク装置を提供できる。
【０１３７】
また、移動子としてのセレクトアーム７３を第一シフトカム７１に回動可能に設けるとしたが、これに限らない。すなわち、例えば、径寸法の異なる光ディスクに対応した複数の押出壁部を第一シフトカム７１上に並設し、カム押出ピン６１３を移動子に当接させて、この移動子が移動して複数の押出壁部のうち所定の押出壁部を押し出すような構成としてもよい。このような構成でも、前記実施の形態と同様に、小型化が可能で、径寸法の異なる光ディスク１を好適に処理できるディスク装置を提供できる。つまり、移動子が移動することによりカム押出ピン６１３にて第一シフトカム７１が押し出される位置が光ディスクの径寸法に応じて変化する構成であればいずれでもよい。
【０１３８】
また、ローディングアーム５１とディスクガイドアーム５３とを連動させない構成としてもよい。この場合、ディスクガイドアーム５３を光ディスク１の径寸法に応じて回動させる他の駆動部を設けることで、大径ディスク１Ａおよび小径ディスク１Ｂを搬送することが可能となる。
【０１３９】
さらに、上記実施の形態では、ディスク処理部２０は挿排口１４の近傍、かつ左壁１０Ｂ側に揺動自在に取り付けられている例を示したが、これに限らない。例えば、厚み寸法に規定がない通常のディスクドライブなどでは、挿排口１４側の揺動変位が大きくなったり、挿排口１４側およびターンテーブル２３側の双方が等しく揺動したりする構成としてもよい。
【０１４０】
その他、本発明の実施の際の具体的な構造および手順は、本発明の目的を達成できる範囲で他の構造などに適宜変更できる。
【０１４１】
〔実施の形態の効果〕
上述したように、上記一実施の形態のディスク装置１００では、筐体１０と、ターンテーブル２３および情報処理部２４を備え揺動可能に筐体１０内に軸支されたディスク処理部２０と、駆動部４０と、搬送手段３０と、ディスククランプ部７０とを備えている。搬送手段３０は、駆動部４０の駆動により光ディスク１を保持しつつ搬送する。ディスククランプ部７０は、搬送手段３０による径寸法が異なる光ディスク１の保持状態に応じて駆動部４０の駆動の伝達を切り替え、ディスク処理部２０を揺動させる。
このように、１つの駆動部４０の駆動より、搬送手段３０にて光ディスク１を搬送させると共に、ディスククランプ部７０にてディスク処理部２０を揺動させる。このため、搬送手段３０およびディスククランプ部７０のそれぞれに独立した駆動手段を設ける従来の構成と比較して、構成部品が少なくて済むので、ディスク装置１００を小型化できる。また、ディスククランプ部７０は、搬送手段３０による径寸法が異なる光ディスク１の保持状態に応じて駆動部４０の駆動の伝達を切り替える。このため、光ディスク１を搬送するタイミングと、ディスク処理部２０を揺動させるタイミングとを、光ディスク１の径寸法に応じて好適に調整できる。したがって、小型化が可能で、径寸法の異なる光ディスク１を好適に処理できる。
【図面の簡単な説明】
【０１４２】
【図１】本発明に係る記録媒体駆動装置としてのディスク装置の初期状態における内部構成を示す平面図である。
【図２】ディスク装置の搬入部の構成を示す平面図である。
【図３】ディスク装置の搬出部およびクランプ部の構成を示す平面図である。
【図４】ディスク装置のクランプ部を構成する第一シフトカムの側面を示す側面図である。
【図５】大径ディスクの挿入初期時におけるディスク装置の内部を示す平面図である。
【図６】大径ディスクの搬送途中におけるディスク装置の内部を示す平面図である。
【図７】大径ディスクの搬入完了時におけるディスク装置の内部を示す平面図である。
【図８】大径ディスクのクランプ完了時におけるディスク装置の内部を示す平面図である。
【図９】大径ディスクの排出完了時におけるディスク装置の内部を示す平面図である。
【図１０】小径ディスクの搬入開始時および搬出完了時におけるディスク装置の内部を示す平面図である。
【図１１】小径ディスクの搬送途中におけるディスク装置の内部を示す平面図である。
【図１２】小径ディスクの搬入完了時におけるディスク装置の内部を示す平面図である。
【図１３】小径ディスクのクランプ完了時におけるディスク装置の内部を示す平面図である。
【図１４】大径ディスクの搬送状態に対応した第一ないし第四スイッチのタイミングチャートである。
【図１５】小径ディスクの搬送状態に対応した第一ないし第四スイッチのタイミングチャートである。
【符号の説明】
【０１４３】
１…光ディスク（記録媒体）
１Ａ…大径ディスク（記録媒体）
１Ｂ…小径ディスク（記録媒体）
１００…ディスク装置
１０…筐体
１４…挿排口（開口部）
２０…ディスク処理部（トラバース本体）
２３…ターンテーブル
２４…情報処理部
３０…搬送手段
４０…駆動部
５０…搬入部（搬入出手段）
５５…リンクプレート
５５４…セレクトピン（制御部材）
６１…第一イジェクトアーム
６１３…カム押出ピン（カム押出部材）
７０…ディスククランプ部（切替手段）
７１…第一シフトカム
７１３…第一押出壁部
７３…セレクトアーム（移動子）
７３３Ａ…ピン係合部（制御部材係合部）
７３５…第二押出壁部
【図１】
2007179644.tif 000003
【図２】
2007179644.tif 000004
【図３】
2007179644.tif 000005
【図４】
2007179644.tif 000006
【図５】
2007179644.tif 000007
【図６】
2007179644.tif 000008
【図７】
2007179644.tif 000009
【図８】
2007179644.tif 000010
【図９】
2007179644.tif 000011
【図１０】
2007179644.tif 000012
【図１１】
2007179644.tif 000013
【図１２】
2007179644.tif 000014
【図１３】
2007179644.tif 000015
【図１４】
2007179644.tif 000016
【図１５】
2007179644.tif 000017